(57)【要約】【課題】本発明の目的は駆動コイルを効率的に冷却できる光ピックアップ装置を提供する。【解決手段】レンズホルダ３４や支持ワイヤ２８を被覆するカバー３２に開口部６４を設け、この開口部６４からレンズホルダ３４やマグネット８８を外部に露出させる。これにより、光ディスクが回転することで発生した風が、開口部６４を経由して装置内部に侵入するので、使用状況下に於けるフォーカスコイル７２等の過熱が防止される。更に本願発明では、カバー３２に曲折部７０を設けることで、この風の取り込みによる効果を大きくできる。【選択図】図４
2014089787.tif 000002
【特許請求の範囲】
【請求項１】
光ディスクの情報記録層にレーザー光を合焦させる対物レンズと、
前記対物レンズが固定されるレンズホルダと、
前記レンズホルダの側面に配置された駆動コイルと、
前記レンズホルダを変位可能に支持する支持ワイヤと、
前記駆動コイルの近傍に配置されるマグネットと、
前記支持ワイヤの少なくとも一部を保護するカバーと、
前記駆動コイルまたは前記マグネットの側方で、前記カバーを部分的に除去した開口部と、を具備することを特徴とする光ピックアップ装置。
【請求項２】
前記駆動コイルまたは前記マグネットの側方で、前記カバーの一部を曲折させた曲折部を設けることを特徴とする請求項１に記載の光ピックアップ装置。
【請求項３】
前記駆動コイルは、トラッキングコイルおよびフォーカスコイルを含み、
前記トラッキングコイルおよびフォーカスコイルは、前記レンズホルダの側壁の外面に配置されることを特徴とする請求項１または請求項２に記載の光ピックアップ装置。
【請求項４】
前記曲折部は、前記光ディスクのタンジェンタル方向に対して傾斜することを特徴とする請求項３に記載の光ピックアップ装置。
【請求項５】
前記曲折部は、前記レンズホルダの少なくとも一方側の側方に設けられることを特徴とする請求項２から請求項４の何れかに記載の光ピックアップ装置。
【請求項６】
前記曲折部は、前記レンズホルダの両側の側方に設けられることを特徴とする請求項２から請求項４の何れかに記載の光ピックアップ装置。
【発明の詳細な説明】
【技術分野】
【０００１】
本発明は光ピックアップ装置に関し、特に、対物レンズホルダに備えられる駆動コイルの過熱を防止する機構を備えた光ピックアップ装置に関する。
【背景技術】
【０００２】
光ピックアップ装置から照射されるレーザー光を、光ディスクの信号記録層に照射することによって、信号の読み出し動作や信号の記録動作を行う光ディスク装置が普及している。
【０００３】
この光ディスク装置では、光ディスクの径方向に沿って移動する光ピックアップ装置を用いて、光ディスクに対する情報の読み書きが行われる。具体的には、光ピックアップ装置に内蔵されるレーザーダイオードから所定の波長のレーザー光が放射され、対物レンズによりこのレーザー光が光ディスクの情報記録層に合焦される。この情報記録層で反射した戻り光のレーザー光が受光素子で受光されることで、光ディスクに記録された情報の読出しが行われる。
【０００４】
更に、受光素子で得られた情報を元に対物レンズの位置を調整するサーボ動作が行われている。具体的には、対物レンズホルダには、フォーカスコイル、トラッキングコイル等の駆動コイルが備えられており、この駆動コイルに電流を供給することでレンズホルダのフォーカス方向、トラッキング方向およびチルト方向に対する位置調整が行われている。
【０００５】
しかしながら、使用状況下にて上記した駆動コイルが過熱してしまい、駆動コイルを構成するエナメル線の絶縁皮膜が溶融してしまう等の問題が発生していた。具体的には、表面にキズ等が発生している低品質な光ディスクに対して、情報の読み書きを行う場合、レンズホルダを頻繁にフォーカス方向に対して変位させる必要があるので、フォーカスコイルに供給される電流量が多くなり、上記した過熱の問題が発生する。また、一つのレンズホルダに複数の規格に対応する対物レンズが搭載された場合、ＣＤ規格のレーザー光を照射する場合と、ＢＤ規格のレーザー光を照射する場合とでは、光ディスクの表面と対物レンズとの距離が異なるので、連続してフォーカスコイルに電流を流してレンズホルダを所定の位置に固定する必要がある。この場合もフォーカスコイルに連続して電流が供給されることで過熱してしまう恐れが有る。更には、例えば樹脂から成る対物レンズの場合には、コイルが発熱することで対物レンズホルダを通じて対物レンズの温度が上昇し、収差が発生するなどの光学的な不都合が発生する恐れもある。
【０００６】
この様な光ピックアップ装置に内蔵された光学部品の過熱を抑制する方法として、光ピックアップ装置に風を送り込む方法が考えられる。下記特許文献１では、図２および〔００４６〕等を参照して、開口部２０ａ付近のカバーに長孔２０ｂを設けている。これにより、ディスクの回転により発生する風を、この長孔２０ｂを経由して光ピックアップ装置に導き、光ピックアップ装置の過熱を抑制する事項が開示されている。
【先行技術文献】
【特許文献】
【０００７】
【特許文献１】特開２００８−９７６６２号公報
【発明の概要】
【発明が解決しようとする課題】
【０００８】
上記した特許文献１では、光ディスク装置の特定の部分に孔部を設け、この孔部を通過した風を光ピックアップ装置に当てることにより、光ピックアップ装置を全体的に冷却する事項が開示されている。
【０００９】
しかしながら、かかる技術では、上記したように、光ピックアップ装置の特定の部分が局所的に加熱された場合、その部分を冷却することは困難である。
【００１０】
また、通常、光ピックアップ装置に含まれる対物レンズホルダ等は、外部の接触を防止するために金属板等から成るカバーにより被覆されている。よって、単に光ピックアップ装置に風を当てる上記した技術では、レンズホルダに備えられるフォーカスコイル等を十分に冷却することは困難である。
【００１１】
本発明は上記した課題を鑑みて成され、本発明の目的は駆動コイルを効率的に冷却できる光ピックアップ装置を提供することにある。
【課題を解決するための手段】
【００１２】
本発明の光ピックアップ装置は、光ディスクの情報記録層にレーザー光を合焦させる対物レンズと、前記対物レンズが固定されるレンズホルダと、前記レンズホルダの側面に配置された駆動コイルと、前記レンズホルダを変位可能に支持する支持ワイヤと、前記駆動コイルの近傍に配置されるマグネットと、前記支持ワイヤの少なくとも一部を保護するカバーと、前記駆動コイルまたは前記マグネットの側方で、前記カバーを部分的に除去した開口部と、を具備することを特徴とする。
【発明の効果】
【００１３】
本発明では、駆動コイルの近傍で、支持ワイヤ等を被覆するカバーを部分的に除去して開口部を設けている。従って、使用状況下にて光ディスクが回転することで発生する風の一部が、この開口部を経由して上記した駆動コイルの近傍を通過することにより駆動コイルが冷却されるので、その過熱が防止される。
【００１４】
更に本発明では、カバーの一部を曲折させた曲折部を設けている。これにより、上記した風を駆動コイル側に取り込む作用が大きくなる。
【００１５】
更には、対物レンズが過熱されることによる光学的な不具合等の問題が抑止される。
【図面の簡単な説明】
【００１６】
【図１】本発明の光ピックアップ装置を示す図であり、（Ａ）は光ピックアップ装置が組み込まれた光ピックアップ支持装置を示す斜視図であり、（Ｂ）は光ピックアップ装置を示す斜視図である。
【図２】本発明の光ピックアップ装置に組み込まれる光学系を示す図である。
【図３】本発明の光ピックアップ装置を示す図であり、（Ａ）は光ピックアップ装置に組み込まれるレンズ駆動装置を示す斜視図であり、（Ｂ）はレンズホルダの部分を示す平面図である。
【図４】本発明の光ピックアップ装置を示す図であり、（Ａ）は光ピックアップ装置に組み込まれるレンズ駆動装置の他の形態を示す斜視図であり、（Ｂ）はレンズホルダの部分を示す平面図である。
【図５】本発明の光ピックアップ装置を示す図であり、光ディスクとレンズ駆動装置との関連を示す平面図である。
【発明を実施するための形態】
【００１７】
図１を参照して、本形態の光ピックアップ装置を説明する。図１（Ａ）は本形態の光ピックアップ装置２２が組み込まれた光ピックアップ支持装置１０を示す斜視図であり、図１（Ｂ）は光ピックアップ装置２２を示す斜視図である。
【００１８】
図１（Ａ）を参照して、光ピックアップ支持装置１０は、シャーシ１２と、シャーシ１２により支持されるガイド軸１４、１６と、ガイド軸１４、１６により移動可能に保持される光ピックアップ装置２２と、ターンテーブル１８とを備えている。
【００１９】
シャーシ１２は、射出成形された樹脂材料や所定形状に曲折加工された金属板等から成り額縁形状を呈している。
【００２０】
ガイド軸１４、１６は、棒状のステンレス等の金属材料から成り、両端付近がシャーシ１２に固定されている。
【００２１】
光ピックアップ装置２２は、両端付近がガイド軸１４、１６に支持されており、光ディスク２０の半径方向に沿って移動可能である。光ピックアップ装置２２には、ハウジングに後述する各種光学素子が備えられている。
【００２２】
ターンテーブル１８は、シャーシ１２の上面に備えられ、光ディスク２０が固定される部位である。使用状況下では、ターンテーブル１８は、光ディスク２０を時計回りに所定の速度で回転させる。
【００２３】
光ディスク２０としては、ＢＤ規格、ＤＶＤ規格またはＣＤ規格のものが、ターンテーブル１８に固定される。
【００２４】
図１（Ｂ）を参照して、光ピックアップ装置２２では、ハウジング２４にレンズ駆動装置６２等の各種素子が備えられている。また、ハウジング２４の紙面上右側の端部には、上記したガイド軸１４が挿通される挿通部３６が設けられ、左側端部には上記したガイド軸１６が係合される係合部３８が設けられる。
【００２５】
レンズ駆動装置６２は、対物レンズ２６を保持するレンズホルダ３４が支持ワイヤ２８を介して変位可能な状態で支持基板３０に支持されている。また、支持ワイヤ２８等が外部と接触しないように、支持ワイヤ２８はカバー３２により保護されている。レンズ駆動装置６２の詳細は図３を参照して詳述する。本形態では、レンズホルダ３４の上面には２つの対物レンズ２６が配置されているが、上記した３つの規格のレーザー光に対応する１つの対物レンズ２６が配置されても良い。
【００２６】
図２を参照して、上記した光ピックアップ装置２２に組み込まれる光学系について説明する。
【００２７】
光ピックアップ装置２２を構成する光学素子としては、レーザー装置４０、４４、回折格子４２、４６、光路合成プリズム４８、ハーフミラー５４、１／４波長板５５、コリメータレンズ５６、立ち上げミラー５８、６０、対物レンズ２６Ａ、２６Ｂ、アナモレンズ５２及び光検出器５０が図示されている。
【００２８】
レーザー装置４０は、ＤＶＤ規格の波長（赤色波長帯６４５ｎｍ〜６７５ｎｍ（例えば、６５５ｎｍ））のレーザー光及びＣＤ規格の波長（赤外波長帯７６５ｎｍ〜８０５ｎｍ（例えば、７８５ｎｍ））のレーザー光を出射する。
【００２９】
そして、レーザー装置４０から出射されたレーザー光は、回折格子４２にて０次光、＋１次回折光、−１次回折光に分離し、プリズム４８を通過する。
【００３０】
レーザー装置４４は、ＢＤ規格の波長（青紫色（青色）波長帯４００ｎｍ〜４２０ｎｍ（例えば４０５ｎｍ））のレーザー光を出射する。尚、レーザー装置４４は、ＣＡＮタイプ型のパッケージの場合でも良く、リードフレーム型のパッケージの場合でも良い。これは、レーザー装置４０についても同様である。
【００３１】
そして、レーザー装置４４から出射されたレーザー光は、回折格子４６にて０次光、＋１次回折光、−１次回折光に分離し、光路合成プリズム４８の偏光面にて反射する。
【００３２】
図示したように、レーザー装置４０、４４から出射されたレーザー光は、プリズム４８を通過した後は共通の光路上を進む。具体的には、それぞれのレーザー光は、ハーフミラー５４にて反射した後、１／４波長板５５及びコリメータレンズ５６を通過する。そして、ＤＶＤ規格及びＣＤ規格のレーザー光は、立ち上げミラー５８にて反射し、対物レンズ２６Ａにて光ディスク２０の情報記録層に集光される。一方、ＢＤ規格のレーザー光は、立ち上げミラー５８を通過し、立ち上げミラー６０にて反射し、対物レンズ２６Ｂにて光ディスク２０の情報記録層に集光される。
【００３３】
次に、光ディスク２０から反射したＤＶＤ規格及びＣＤ規格のレーザー光は、対物レンズ２６Ａを通過し、立ち上げミラー５８にて反射する。一方、光ディスク２０から反射したＢＤ規格のレーザー光は、対物レンズ２６Ｂを通過し、立ち上げミラー６０にて反射し、立ち上げミラー５８を通過する。その後、それぞれのレーザー光は、コリメータレンズ５６、１／４波長板５５、ハーフミラー５４及びアナモレンズ５２を通過した後、光検出器５０へと入射する。そして、光検出器５０にて検出された光信号に基づいて、フォーカス制御、トラッキング制御及びラジアルチルト制御が行われる。
【００３４】
図３を参照して、次に、本形態の光ピックアップ装置に組み込まれるレンズ駆動装置６２を説明する。図３（Ａ）はレンズ駆動装置６２を示す斜視図であり、図３（Ｂ）は開口部６４が設けられる部分を示す平面図である。
【００３５】
図３（Ａ）を参照して、レンズ駆動装置６２は、対物レンズ２６を保持するレンズホルダ３４と、支持基板３０と、レンズホルダ３４と支持基板３０との間に架設される支持ワイヤ２８と、対物レンズ２６を挟む位置に配置されたマグネット８８、９０と、これらを被覆するカバー３２とを主要に有する。
【００３６】
レンズホルダ３４は、下面に開放部を有する箱型形状を呈し、上面に２つの対物レンズ２６が備えられている。上面に２つの対物レンズ２６が配置されることによりレンズホルダ３４が重くなると、レンズホルダ３４を変位させるために各駆動コイルに供給される電流が大きくなるので、駆動コイルが過熱されやすくなる。本形態では、後述するように開口部６４を設け、各駆動コイルに風を吹き付けることにより駆動コイルの過熱を防止している。
【００３７】
レンズホルダ３４の紙面上で左右方向に対向する側辺には、夫々３本づつ支持ワイヤ２８が架設されている。各支持ワイヤ２８の一端はレンズホルダの側壁に固着され、他端は支持基板３０に固定される。これにより、レンズホルダ３４は空中状態で機械的に支持される。更に、支持ワイヤ２８は、レンズホルダ３４に備えられる各コイルに供給される電流が流れる接続手段としても機能している。
【００３８】
カバー３２は、アルミニウムやステンレス等から成る薄い金属板を所定形状に加工して形成され、レンズ駆動装置６２の各部材を被覆して外部との接触を抑制する作用を有する。具体的には、カバー３２は、マグネット８８、９０、マグネット８８を支持するフレーム、支持ワイヤ２８等を被覆している。また、ここで、レーザー光を通過させるために、対物レンズ２６およびその付近はカバー３２により被覆されない。
【００３９】
図３（Ｂ）を参照して、レンズホルダ３４の紙面上にて上下方向に対向する側壁の外側には駆動コイルが備えられている。具体的には、紙面にて上側のレンズホルダ３４の側壁外側には、左側から、フォーカスコイル７２、トラッキングコイル８０およびフォーカスコイル７４が配置されている。また、紙面にて下側のレンズホルダ３４の側壁外側には、左側から、フォーカスコイル７６、トラッキングコイル８２およびフォーカスコイル７８が配置されている。これらの各コイルは、レンズホルダ３４の側壁外側に設けられたボビンに対して、紙面上にて縦方向に巻回軸を有するようにエナメル線を巻回して形成されている。
【００４０】
また、各コイルに面するようにマグネットが配置されている。具体的には、フォーカスコイル７２、トラッキングコイル８０及びフォーカスコイル７４に面するように、マグネット８８が配置されておいる。また、フォーカスコイル７６、トラッキングコイル８２およびフォーカスコイル７８に面するように、マグネット９０が配置されている。マグネット８８はアクチュエータフレームを部分的に曲折させたバックヨーク８４に接着されており、マグネット９０もバックヨーク８６に接着されている。
【００４１】
マグネット８８、９０の、各コイルに対向する面は同一の極性（例えばＮ極）である。また、各マグネット８８、９０は、各トラッキングコイル８０、８２の有効領域に対して有効磁束を発生させる。この様な構成でトラッキングコイル８０、８２に電流を供給すると、トラッキングコイル８０、８２に電流が流れることで発生する磁界と、マグネット８８、９０で生成される磁界で形成される磁気回路との協働により、レンズホルダ３４はＤｒ方向に変位する。
【００４２】
更に、マグネット８８、９０は、フォーカスコイル７２−７８の有効領域に対しても有効磁束を発生させている。従って、フォーカスコイル７２−７８に対して電流を供給すると、フォーカスコイル７２−７８に電流が流れることで発生する磁界と、マグネット８８、９０で生成される磁界で形成される磁気回路との協働により、レンズホルダ３４はＤｆ方向に変位する。尚、本形態では、フォーカスコイル７２−７８に、チルト方向に対する制御を行うための制御信号を付与することで、レンズホルダ３４をチルト方向（Ｄｒｔ方向）に制御している。
【００４３】
開口部６４は、レンズ駆動装置６２の側面に対応する部分のカバー３２を部分的に除去して設けられている。ここでは、開口部６４は、レンズホルダ３４の側壁、マグネット８８、９０、および各駆動コイルが側方に露出するように設けられている。しかしながら、開口部６４からこれらの部位の全てが露出する必要はなく、これらの何れかが側方に露出するように開口部６４が設けられても良い。例えば、駆動コイルとマグネット８８、９０との間隙のみが側方に露出するように、開口部６４が設けられても良い。
【００４４】
使用状況下にて光ディスクが回転することにより発生した風は、開口部６４を経由して、各コイルとマグネットとの間隙に進入する。この図では、装置の内部に進入する風の経路を太い矢印にて示している。具体的には、この風は、フォーカスコイル７２、トラッキングコイル８０およびフォーカスコイル７４と、マグネット８８との間に進入して各コイルを冷却する。更にこの風は、フォーカスコイル７６、トラッキングコイル８２およびフォーカスコイル７８と、マグネット９０との間に進入して各コイルを冷却する。これにより、使用状況下にて各コイルに電流が流れて発熱したとしても、各コイルが風により冷却されて過熱が防止される。よって、各コイルを構成するエナメル線の絶縁皮膜が溶融してしまう等の問題が防止される。
【００４５】
ここで、紙面上では、レンズホルダ３４の左右両方側から風が内部に侵入しているが、何方か一方から侵入した風が他方から外部に抜けるように構成しても良い。更に、紙面上ではレンズホルダ３４を挟む両方のカバー３２に開口部６４を設けているが、何方か一方のみに開口部６４を設けても良い。
【００４６】
更に、図３（Ｂ）を参照して、本形態では、全ての駆動コイルがレンズホルダ３４の側壁に備えられているので、上記した開口部６４を経由して流入する風により各コイルを効率的に冷却できる。しかしながら、トラッキングコイルのみがレンズホルダ３４の側壁外部に備えられ、フォーカスコイルがレンズホルダ３４に内蔵されるタイプであっても、トラッキングコイルが効率的に冷却される効果が得られる。
【００４７】
図４を参照して、他の形態のレンズ駆動装置６２を説明する。図４（Ａ）はレンズ駆動装置６２を示す斜視図であり、図４（Ｂ）はレンズホルダ３４の部分を拡大して示す平面図である。
【００４８】
図４（Ａ）および図４（Ｂ）を参照して、ここでは、カバー３２の開口部６４に加えて曲折部７０を設けている。これにより、多量の風を装置内部に取り込み上記した冷却の効果を大きくすることができる。曲折部７０は、マグネット８８、９０、レンズホルダ３４、各コイルまたはマグネットと各コイルとの間隙の側方に設けられており、カバー３２の一部を曲折加工して形成されている。
【００４９】
図４（Ｂ）を参照して、レンズホルダ３４、各コイルが側方に露出するように開口部６４が設けられている。更に、レンズホルダ３４の側方に曲折部７０が設けられている。この曲折部７０は、光ディスクのタンジェンタル方向（Ｄｔ方向）に対して傾斜している。この様な形状の曲折部７０を設けることにより、曲折部７０に沿って風が装置内部に侵入するので、マグネット８８、９０と各コイルとの間に多量の風が進入するように成る。
【００５０】
ここで、図４（Ｂ）では、レンズホルダ３４の左右両方に曲折部７０が設けられているが、何方か一方のみに曲折部７０が設けられても良い。更にまた、図では、左右両方の曲折部７０を経由して内部に風が侵入しているが、何方か一方から侵入した風が他方から外部に抜けるように構成しても良い。
【００５１】
図５を参照して、上記したレンズ駆動装置６２と光ディスクとの関連を説明する。図５は光ディスクとレンズ駆動装置６２との位置関係を示す平面図である。
【００５２】
使用状況下にて光ディスク２０が時計回りに回転すると、その回転方向に沿って風が発生する。この図では、風の進行方向を白抜きの矢印で示している。本形態では、この風をレンズ駆動装置６２に設けた開口部６４または曲折部７０を経由して、レンズ駆動装置６２の内部に侵入させている。
【００５３】
ここで、レンズ駆動装置６２の内側を通過する風をＷ１とし、その外側を通過する風をＷ２とした場合、レンズ駆動装置６２は、Ｗ１およびＷ２の両方を内部に取り込んでも良いし、一方のみを取り込んでも良い。例えば、Ｗ１がＷ２よりも風力が強かったら、Ｗ１をレンズ駆動装置６２に取り込み外側に排出するようにしても良い。逆に、Ｗ２がＷ１よりも風力が強かったら、Ｗ２をレンズ駆動装置６２に取り込み内側に排出するようにしても良い。いずれの場合もレンズ駆動装置６２に内蔵される各コイルを冷却することができる。
【符号の説明】
【００５４】
１０   光ピックアップ支持装置
１２   シャーシ
１４   ガイド軸
１６   ガイド軸
１８   ターンテーブル
２０   光ディスク
２２   光ピックアップ装置
２４   ハウジング
２６，２６Ａ，２６Ｂ 対物レンズ
２８   支持ワイヤ
３０   支持基板
３２   カバー
３４   レンズホルダ
３６   挿通部
３８   係合部
４０   レーザー装置
４２   回折格子
４４   レーザー装置
４６   回折格子
４８   プリズム
５０   光検出器
５２   アナモレンズ
５４   ハーフミラー
５５   １／４波長板
５６   コリメータレンズ
５８   立ち上げミラー
６０   立ち上げミラー
６２   レンズ駆動装置
６４   開口部
７０   曲折部
７２   フォーカスコイル
７４   フォーカスコイル
７６   フォーカスコイル
７８   フォーカスコイル
８０   トラッキングコイル
８２   トラッキングコイル
８４   バックヨーク
８６   バックヨーク
８８   マグネット
９０   マグネット
【図１】
2014089787.tif 000003
【図２】
2014089787.tif 000004
【図３】
2014089787.tif 000005
【図４】
2014089787.tif 000006
【図５】
2014089787.tif 000007